(57)【要約】【課題】コンクリート桁の押し出し架設方法において、新たにコンクリートが打設された施工ブロックの重量を簡単な構造で支持し、既設の施工ブロックと一体となった橋桁を前方に押し出す。【解決手段】新たにコンクリートが打設された新設ブロック３の上面に、後方突出ガーダー２１を後方に突出させて固定する。新設ブロック３の後方には支持体２４を設置し、上部ローラ２６を介して後方突出ガーダーを支持する。これにより、新設ブロックの前方に支持されて連続する既設ブロック２と上記支持体とによって新設ブロックの重量が支持される。既設ブロックと新設ブロックとが連続して一体となった橋桁１は、既設ブロックを支持している桁送り出し装置１０の駆動により前方に押し出され、後方突出ガーダーは支持体に支持された状態で上部ローラ上を移動する。【選択図】図１
2011052375.tif 000002
【特許請求の範囲】
【請求項１】
既に形成されて桁製作ヤードの前方側で支持される既設ブロックと、前記桁製作ヤード上で前記既設ブロックと連続するようにコンクリートを打設して形成された新設ブロックとからなる橋桁を、前方へ押し出して所定の位置に架設する押し出し架設方法で用いられ、
前記新設ブロックの上面に固定され、該新設ブロックの後方へ突き出した後方突出ガーダーと、
前記新設ブロックの後端面より後方に設けられ、前記後方突出ガーダーが前記新設ブロックとともに前方へ移動することが可能となるように該後方突出ガーダーを支持する支持体と、を備えることを特徴とする押し出し桁の後方支持装置。
【請求項２】
前記橋桁は、上下方向に駆動されて前記橋桁を支持することができる鉛直ジャッキと、台座上で前方及び後方への往復移動が可能に設けられ、前記橋桁を支持して前方へ移動する移動支承と、該移動支承を駆動する水平ジャッキとを備える桁送り出し装置に支持されて、前方に押し出されるものであり、
前記支持体は、後端用鉛直ジャッキを介して前記後方突出ガーダーを支持するものであり、
該後端用鉛直ジャッキは、前記桁送り出し装置の前記鉛直ジャッキの駆動に連動して上下方向に駆動されるものであることを特徴とする請求項１に記載の押し出し桁の後方支持装置。
【請求項３】
前記支持体は、上部に上部ローラが備えられており、
該上部ローラを介して前記後方突出ガーダーを支持するものであることを特徴とする請求項１又は請求項２に記載の押し出し桁の後方支持装置。
【請求項４】
既に形成されて桁製作ヤードの前方側で支持される既設ブロックと、前記桁製作ヤード上で前記既設ブロックと連続するようにコンクリートを打設して形成された新設ブロックとからなる橋桁を、前方へ押し出して所定の位置に架設する押し出し架設方法で用いられ、
前記新設ブロックの上面に固定され、該新設ブロックの後方へ突き出した後方突出ガーダーと、
前記新設ブロックの後端面より後方に設けられ、前記橋桁の前方への移動にともない、前記後方突出ガーダーを支持した状態で該後方突出ガーダーとともに前進移動する支持体と、を備えたことを特徴とする押し出し桁の後方支持装置。
【請求項５】
前記支持体は、下部に下部ローラが備えられており、
該下部ローラが前記桁製作ヤード上を走行するものであることを特徴とする請求項４に記載の押し出し桁の後方支持装置。
【請求項６】
既に形成されて桁製作ヤードの前方側で支持される既設ブロックと連続するようにコンクリートを打設して新設ブロックを形成し、該新設ブロックと前記既設ブロックとが一体となった橋桁を形成する工程と、
前記新設ブロックの上面に、後方突出ガーダーを該新設ブロックの後方へ突き出した状態で固定する工程と、
前記新設ブロックの後端面より後方に、前記新設ブロックとともに前記後方突出ガーダーが前方へ移動可能となるように該後方突出ガーダーを支持する支持体を設ける工程と、
前記新設ブロックの後部を前記後方突出ガーダーを介して前記支持体で支持するとともに、前記既設ブロックを支持した状態で、前記橋桁を前方に押し出す工程とを含むことを特徴とする押し出し架設方法。
【請求項７】
既に形成されて桁製作ヤードの前方側で支持される既設ブロックと連続するようにコンクリートを打設して新設ブロックを形成し、該新設ブロックと前記既設ブロックとが一体となった橋桁を形成する工程と、
前記新設ブロックの上面に、後方突出ガーダーを該新設ブロックの後方へ突き出した状態で固定する工程と、
前記新設ブロックの後端面より後方に、前記後方突出ガーダーを支持して前記製作ヤード上を走行可能な支持体を設ける工程と、
前記後方突出ガーダー及びこれを支持する支持体とともに、前記橋桁を前方に押し出す工程とを含むことを特徴とする押し出し架設方法。
【発明の詳細な説明】
【技術分野】
【０００１】
本願発明は、コンクリートからなる橋桁を施工ブロック毎に順次製作し、この橋桁を軸線方向に押し出して架設するために用いられる押し出し桁の後方支持装置、及びこれを用いた押し出し架設方法に関するものである。
【背景技術】
【０００２】
コンクリート橋梁の架設方法のひとつに押し出し工法がある。この架設方法は、橋桁を架設する位置に近接して桁製作ヤードを設け、この桁製作ヤードでコンクリートを施工ブロック毎に順次に打ち継いで橋桁を製作する。そして、施工ブロックを打ち継ぐ毎に橋桁を押し出して所定の位置に設置するものである。
この橋桁を押し出す方法には、例えば、特許文献１に記載されているように、押し出す力の反力を集中させる反力集中式押し出し方法と反力を分散させる反力分散式押し出し方法との二つの方法が主に用いられている。
【０００３】
反力集中式押し出し方法は、位置を固定して設けられた複数の滑り支承の上に橋桁を載置し、橋桁の所定の位置に押し出し方向の力を作用させる。これにより、滑り支承の上を滑らせて橋桁を所定位置まで移動させるものである。反力分散式押し出し方法は、橋桁を鉛直方向に持ち上げることができる鉛直ジャッキと、橋桁を支持した状態で水平方向に移動する移動支承と、この移動支承を駆動する水平ジャッキとからなる桁送り出し装置を複数用い、移動支承上に橋桁を載置して移動する。そして、複数の鉛直ジャッキで橋桁を一旦持ち上げた後、水平ジャッキ及び移動支承を後退させ、移動支承上に橋桁を乗せ換える。これらの工程を繰り返すことによって橋桁を押し出すものである。
【先行技術文献】
【特許文献】
【０００４】
【特許文献１】特開２００４−５２３３８号公報
【発明の概要】
【発明が解決しようとする課題】
【０００５】
しかしながら、上記のような従来の方法では、次のような問題点がある。
図８に示すように、桁製作ヤード１０５で新たに製作される新設ブロック１０１は、既にコンクリートが打設され硬化している既設ブロック１０２と連続するようにコンクリートが打設され、一体とされる。そして、コンクリートが硬化した後、この新設ブロック１０１の底部の型枠１０３を取り外すときに、新設ブロック部分の重量を支持するために、支承体を設ける必要がある。一般に、反力分散式押し出し工法では、鉛直ジャッキと水平ジャッキと移動支承とを有する桁送り出し装置１０４が支承体として用いられる。また、反力集中式押し出し工法では滑り支承が支承体とされる。
【０００６】
このような支承体は、底部の型枠１０３を脱型する前、つまり底部の型枠１０３に新設ブロック１０１の重量が負荷されている状態で設置し、新設ブロック１０１の重量を型枠１０３に代えて負荷させるように設置しなければならない。したがって、底部型枠の一部を解体可能に形成しておき、コンクリートが硬化した後にこの部分のみを解体して支承体を設置する必要がある。つまり、型枠の一部を容易に解体可能に構成するとともに、その他の新設ブロックの重量を支持している部分はそのまま維持できる構造としなければならない。このような型枠では、支承体を設置するために解体する部分の剛性不足や、解体する領域と他の領域との目違い等が生じ易くなる。剛性不足によるたわみや目違いが型枠に生じると、形成された桁は下面の平坦性が確保されにくい。橋桁の下面が平坦でないと、押し出し架設中に反力が偏って作用し、コンクリートの剥落やクラックが生じやすくなる。
また、上記のように一部の型枠のみが解体可能となった構造の製作や一部の型枠を解体して支承体を設置する工程には多くの作業を要する。
【０００７】
本願発明は、このような事情に鑑みてなされたものであり、その目的は、新たにコンクリートが打設された施工ブロックの重量を簡単な構造で支持し、既設の施工ブロックと一体となった橋桁を前方に押し出すことができる押し出し桁の後方支持装置、及びこれを用いた押し出し架設方法を提供することである。
【課題を解決するための手段】
【０００８】
上記課題を解決するために、請求項１に係る発明は、  既に形成されて桁製作ヤードの前方側で支持される既設ブロックと、前記桁製作ヤード上で前記既設ブロックと連続するようにコンクリートを打設して形成された新設ブロックとからなる橋桁を、前方へ押し出して所定の位置に架設する押し出し架設方法で用いられ、  前記新設ブロックの上面に固定され、該新設ブロックの後方へ突き出した後方突出ガーダーと、  前記新設ブロックの後端面より後方に設けられ、前記後方突出ガーダーが前記新設ブロックとともに前方へ移動することが可能となるように該後方突出ガーダーを支持する支持体と、を備えることを特徴とする押し出し桁の後方支持装置を提供する。
【０００９】
この押し出し桁の後方支持装置では、桁製作ヤード上で製作された新設ブロックの後部の重量を、後方突出ガーダー及び支持体を介して新設ブロックの後方で支持することができる。そして、新設ブロックの前方側に連続する既設ブロックは、従来の押し出し工法で用いられている滑り支承又は桁送り出し装置等によって支持され、新設ブロックとともに前方に押し出されることができる。このように新設ブロックが桁製作ヤード上で前方に移動するときにも、新設ブロックの後方部分は、支持体上を移動する後方突出ガーダーを介して桁製作ヤードの後方で支持される。したがって、型枠が設けられた領域では、新設ブロックを脱型するときに、新設ブロックを移動可能に支持するための支承体等を設ける必要はなく、型枠を簡単な構造とすることができる。これにより、型枠の組み立て及び脱型等が少ない労力で可能になるとともに、脱型前に支承体で新設ブロックの重量を受け換える等の作業も不要となる。また、底部の型枠を簡単な構造とすることができるので、コンクリートの打設によって形成された桁の下面の平坦性を向上することが容易となり、押し出し時に桁の重量を支持する位置が順次移動しても局部的に大きな応力が発生するのを抑制することができる。
【００１０】
請求項２に係る発明は、請求項１に記載の押し出し桁の後方支持装置において、  前記橋桁は、上下方向に駆動されて前記橋桁を支持することができる鉛直ジャッキと、台座上で前方及び後方への往復移動が可能に設けられ、前記橋桁を支持して前方へ移動する移動支承と、該移動支承を駆動する水平ジャッキとを備える桁送り出し装置に支持されて、前方に押し出されるものであり、  前記支持体は、後端用鉛直ジャッキを介して前記後方突出ガーダーを支持するものであり、  該後端用鉛直ジャッキは、前記桁送り出し装置の前記鉛直ジャッキの駆動に連動して上下方向に駆動されるものであるものとする。
【００１１】
上記桁送り出し装置で橋桁を押し出すときには、鉛直ジャッキで橋桁を押し上げて支持した状態で移動支承が後方へ移動する。そして、鉛直ジャッキを下降させて橋桁を移動支承上に支持させた状態で、水平ジャッキが移動支承を前方に移動させる。したがって、橋桁は上記鉛直ジャッキの動作にしたがって上下方向に変位する。
本請求項に係る後方支持装置は、後端用鉛直ジャッキが桁送り出し装置の鉛直ジャッキの駆動と連動して新設ブロックを上下に変位させるので、新設ブロックと既設ブロックとが連続した橋桁の支持位置に不等変位が生じるのを抑制することができる。したがって、橋桁に大きな不静定力が発生するのを防止し、安全に橋桁を押し出すことができる。
【００１２】
請求項３に係る発明は、請求項１又は請求項２に記載の押し出し桁の後方支持装置において、  前記支持体は、上部に上部ローラが備えられており、  該上部ローラを介して前記後方突出ガーダーを支持するものとする。
【００１３】
この後方支持装置では、後方突出ガーダーが上部ローラの上を移動するので、既設ブロックの前方への押し出しに従動して新設ブロック及び後方突出ガーダーが円滑に軸線方向の前方へ移動する。したがって、支持体に大きな水平力が作用することはなく、新設ブロックの後方を安定して支持することができる。
【００１４】
請求項４に係る発明は、  既に形成されて桁製作ヤードの前方側で支持される既設ブロックと、前記桁製作ヤード上で前記既設ブロックと連続するようにコンクリートを打設して形成された新設ブロックとからなる橋桁を、前方へ押し出して所定の位置に架設する押し出し架設方法で用いられ、  前記新設ブロックの上面に固定され、該新設ブロックの後方へ突き出した後方突出ガーダーと、  前記新設ブロックの後端面より後方に設けられ、前記橋桁の前方への移動にともない、前記後方突出ガーダーを支持した状態で該後方突出ガーダーとともに前進移動する支持体と、を備えたことを特徴とする押し出し桁の後方支持装置を提供する。
【００１５】
この後方支持装置では、請求項１に係る発明の後方支持装置と同様に、新設ブロックの後部を後方突出ガーダー及び支持体を介して新設ブロックの後方で支持することができる。これにより型枠が設けられた領域では、新設ブロックを脱型するときに、新設ブロックを移動可能に支持するための支承体等を設ける必要はなく、型枠を簡単な構造とすることができる。そして、新設ブロックと既設ブロックとが連続した橋桁を押し出すときには、支持体が後方突出ガーダーを介して新設ブロックの後部を支持したまま前方に走行移動する。したがって、後方突出ガーダーの張り出し長を短くすることができ、新設ブロックを安定した状態で支持することができる。
【００１６】
請求項５に係る発明は、請求項４に記載の押し出し桁の後方支持装置において、  前記支持体は、下部に下部ローラが備えられており、  該下部ローラが前記桁製作ヤード上を走行するものとする。
【００１７】
この後方支持装置では、橋桁を前方に押し出すときに、下部ローラにより支持体が安定して小さな抵抗で走行し、安全に橋桁を押し出すことができる。
【００１８】
請求項６に係る発明は、  既に形成されて桁製作ヤードの前方側で支持される既設ブロックと連続するようにコンクリートを打設して新設ブロックを形成し、該新設ブロックと前記既設ブロックとが一体となった橋桁を形成する工程と、  前記新設ブロックの上面に、後方突出ガーダーを該新設ブロックの後方へ突き出した状態で固定する工程と、  前記新設ブロックの後端面より後方に、前記新設ブロックとともに前記後方突出ガーダーが前方へ移動可能となるように該後方突出ガーダーを支持する支持体を設ける工程と、  前記新設ブロックの後部を前記後方突出ガーダーを介して前記支持体で支持するとともに、前記既設ブロックを支持した状態で、前記橋桁を前方に押し出す工程とを含むことを特徴とする押し出し架設方法を提供する。
【００１９】
この押し出し架設方法では、既設ブロックと新設ブロックとが連続して一体となった橋桁の新設ブロックの後部は、この新設ブロックの後方に設けられた支持体により、後方突出ガーダーを介して支持される。そして、新設ブロックの後部が支持された状態で橋桁を押し出すことができる。したがって、新設ブロックのコンクリートを打設した後、桁製作ヤード上の型枠が設けられた範囲に支承体等を設けることなく、脱型することができる。したがって、型枠の組み立て及び脱型等が少ない労力で可能になるとともに、脱型前に支承体で新設ブロックの重量を受け換える等の作業も不要となる。また、底部の型枠を簡単な構造とすることができる。
【００２０】
請求項７に係る発明は、  既に形成されて桁製作ヤードの前方側で支持される既設ブロックと連続するようにコンクリートを打設して新設ブロックを形成し、該新設ブロックと前記既設ブロックとが一体となった橋桁を形成する工程と、  前記新設ブロックの上面に、後方突出ガーダーを該新設ブロックの後方へ突き出した状態で固定する工程と、  前記新設ブロックの後端面より後方に、前記後方突出ガーダーを支持して前記製作ヤード上を走行可能な支持体を設ける工程と、  前記後方突出ガーダー及びこれを支持する支持体とともに、前記橋桁を前方に押し出す工程とを含むことを特徴とする押し出し架設方法を提供する。
【００２１】
この押し出し架設方法では、請求項６に係る発明の桁押し出し工法と同様に、新設ブロックの後部の重量を後方突出ガーダー及び支持体を介して支持し、桁製作ヤード上の型枠が設けられた範囲に支承体等を設けることなく、脱型することができる。したがって、型枠の組み立て及び脱型等が少ない労力で可能になるとともに、脱型前に支承体で新設ブロックの重量を受け換える等の作業も不要となる。また、底部の型枠を簡単な構造とすることができる。
【発明の効果】
【００２２】
上記のように、本願発明に係る押し出し桁の後方支持装置及びこれを用いた押し出し架設方法では、既設ブロックに連続して一体となるように形成された新設ブロックを該新設ブロックの後方で支持して押し出すことができる。これにより、桁製作ヤード上の型枠を設ける範囲に支承体等を設ける必要がなく、新設ブロックを形成するための型枠を簡単な構造とすることができる。したがって、型枠の組み立て及び脱型等が少ない労力で可能になるとともに、脱型前に支承体で新設ブロックの重量を受け換える等の作業も不要となり、省力化が可能となる。
【図面の簡単な説明】
【００２３】
【図１】本願発明に係る後方支持装置を用いて橋桁を架設する状態を示す概略側面図である。
【図２】図１に示す橋桁及びこの橋桁を形成するための型枠の概略断面図である。
【図３】図１に示す橋桁を押し出すための桁送り出し装置の構成及び動作を示す概略図である。
【図４】本願発明の一実施形態である後方支持装置を示す概略側面図である。
【図５】図４に示す後方支持装置を用いて橋桁を押し出す状態を示す概略図である。
【図６】図４に示す後方支持装置を用いて橋桁を押し出す状態を示す概略図である。
【図７】本願発明の第２の実施形態である後方支持装置を示す概略側面図である。
【図８】従来の押し出し架設方法を示す概略図である。
【発明を実施するための形態】
【００２４】
以下、本願発明の実施の形態を図に基づいて説明する。
図１は、本願発明に係る後方支持装置を用いて橋桁を架設する状態を示す概略側面図である。
この橋桁１は、プレストレストコンクリートで形成されるものであり、橋台Ａとこれに対向するもう一つの橋台（図示しない）との間に複数の橋脚Ｐを設け、これらの上に押し出し架設工法により架設される。
押し出し工法は、鉄道線路、交通量の多い道路、又は河川等、上方での作業を極力低減する必要がある位置を跨ぐように橋桁を架設する場合に適した工法であり、橋桁１は架設位置の後方に設けられた桁製作ヤード４で製作される。
本実施の形態では、桁製作ヤード４は橋台Ａの後方に設けられた仮支柱６に隣接して設けられており、桁製作ヤード４の後方には鉄筋等を組み立てる後方ヤード５が設けられている。
【００２５】
上記橋桁１は、施工ブロック毎にコンクリートを打設して順次に形成するものであり、押し出し架設中は、図１に示すように、橋桁１の先端に鋼製の手延べ桁７が取り付けられている。この手延べ桁７は、押し出し方向に橋桁の先端を張り出したときに、大きな曲げモーメントが生じるのを避けるために取り付けられるものであり、押し出し工程が完了した後には撤去されるものである。
【００２６】
橋桁１の形成及び押し出しは、次のような工程で行われる
手延べ桁７又は既に形成された既設ブロック２を桁製作ヤード４の前方側に支持する。そして、桁製作ヤード４上で上記手延べ桁７又は既設ブロック２に連続して一体となるように新設ブロック３のコンクリートを打設する。コンクリートが硬化した新設ブロック３の後方を後方支持装置２０で支持する。そして、手延べ桁７又は既設ブロック２と新設ブロック３とが連続した橋桁１を桁送り出し装置１０によって前方に押し出し、桁製作ヤード４の前方まで移動する。その後、順次に新設ブロックを連続するように打ち足す工程、橋桁１を押し出す工程を繰り返す。
橋桁１の押し出しは、仮支柱６、橋台Ａ、及び橋脚Ｐ上に配置された桁送り出し装置１０によって行われ、所定の架設位置まで移動して押し出しを完了する。
【００２７】
上記橋桁１は、図２に示すように、断面が箱形となっており、桁の軸線方向に緊張材（図示せず）が配置される。この緊張材を緊張して橋桁のコンクリートに定着することによりプレストレスが導入される。そして、上床版１ａにも橋桁１の軸線と直角方向にプレストレスが導入される。  
なお、本実施形態では、橋桁１は上床版１ａ、下床版１ｂ及びウェブ１ｃのすべてがコンクリートで構成された箱桁となっているが、上下方向の折り曲げ線で波形に折り曲げた波形鋼板をウェブに用いるものであってもよい。
【００２８】
上記桁送り出し装置１０は、図３に示すように、橋桁１を持ち上げることができる鉛直ジャッキ１１と、橋桁１が載置された状態で台座１２上を移動する移動支承１３と、この移動支承１３を水平方向に駆動する水平ジャッキ１４と、で主要部が構成されている。
この桁送り出し装置１０による橋桁１０を押し出す方法は、以下の通りである。
鉛直ジャッキ１１で橋桁１を持ち上げて、移動支承１３を押し出し方向の後方側に移動し［図３（ａ）］、鉛直ジャッキ１１を降下させて橋桁１を移動支承１３の上に載置する［図３（ｂ）］。この状態で水平ジャッキ１４を駆動し、移動支承１３を台座１２の上で滑動して橋桁１を前方に押し出す［図３（ｃ）］。その後、鉛直ジャッキ１１で桁を持ち上げ［図３（ｄ）］、移動支承１３を後方に移動し［図３（ａ）］、再び橋桁１をこの移動支承１３に載置する。このような工程を繰り返し、橋桁１を前方へ押し出す。
なお、上記工程は、橋台Ａ、橋脚Ｐ及び仮支柱６上に配置された各桁送り出し装置１０において同時に行われ、橋桁１の全体が前方に移動するものである。
【００２９】
次に、本願発明の一実施の形態である後方支持装置を図４及び図５に基づいて説明する。
図４は、本願発明の一実施形態である後方支持装置の概略側面図であり、図５はこの後方支持装置を用いて橋桁を押し出す状態を示す概略図である。
上記後方支持装置２０は、桁製作ヤード上で形成された新設ブロック３の後部に取り付けられる後方突出ガーダー２１と、新設ブロック３の後方に設けられて後方突出ガーダー２１を支持する支持体２４とで主要部が構成されている。
【００３０】
上記後方突出ガーダー２１は鋼からなり、図４に示すように、新設ブロック３の上面に配置されて新設ブロック３の後端より後方に突出している。この後方突出ガーダー２１は、下端部が新設ブロック３内に定着されて上面より上方に突き出した複数の鉛直鋼棒２３により、新設ブロック３に締め付けて固定されている。
なお、符号２２は、後方突出ガーダー２１と新設ブロック３との間に配置され、後方突出ガーダー２１と支持体２４との高さを調整する高さ調整材である。
【００３１】
上記支持体２４は、形鋼を組み立てて形成された枠体２５を備えるものであり、新設ブロック３の後端より後方に突き出した上記後方突出ガーダー２１を下側から支持するものとなっている。この支持体２４は、橋桁１の軸線方向に配置された緊張材の定着具と対向する位置、例えば箱桁のウェブ１ｃに対向する位置を避けて配置されている。これにより、緊張材の緊張に支障が生じるのを回避するようになっている。
【００３２】
上記枠体２５の上部には、後方突出ガーダー２１の軸線方向への移動を容易にする上部ローラ２６が回転可能に備えられており、この上部ローラ２６を介して後方突出ガーダー２１を支持する。したがって、新設ブロック３の後部は後方突出ガーダー２１を介して、橋桁１の軸線方向への移動が可能に支持されることになる。
また、枠体２５の下部は後端用鉛直ジャッキ２７を介して支持されており、新設ブロック３の後部を上方に押し上げ、又は下降させることができるものとなっている。
この後端用鉛直ジャッキ２７は、橋台Ａ、橋脚Ｐ及び仮支柱６の上に配置された桁送り出し装置１０の鉛直ジャッキ１１の駆動と連動するようになっている。これにより、橋桁１を前方に押し出すときの橋桁１を鉛直ジャッキ１１で支持した状態では、後端用鉛直ジャッキ２７も支持体２４を上方に押し上げ、既設ブロック２と新設ブロック３との上下方向の変位をほぼ同じに維持する。また、桁送り出し装置１０の鉛直ジャッキ１１を下降して橋桁１を移動支承１３上に載置するときには、後端用鉛直ジャッキ２７も下降して、後方突出ガーダー２１と橋桁１の既設ブロック２との上下方向の変位をほぼ等しく調整する。したがって、橋桁１に大きな曲げモーメント及びせん断力が生じるのが防止される。
【００３３】
次に、上記後方支持装置２４を用いて桁を押し出す方法について説明する。なお、この方法は、本願発明に係る押し出し架設方法の一実施形態である。
まず、桁製作ヤード４上で、既設ブロック２の後端に連続して新設ブロック３のコンクリートを打設するための型枠３０を組み立てる。なお、最初の施工ブロックを製作するときには手延べ桁７と連続するようにコンクリートを打設する。また、手延べ桁が施工ブロックの上面に取り付けられる、いわゆる上載せタイプであるときには最初の施工ブロックは独立した状態でコンクリートを打設して製作する。
【００３４】
上記新設ブロック３のコンクリートを打設するための型枠３０は、一般に鋼によって形成され、図２に示すように、外型枠３０ａ、底型枠３０ｂ及び内型枠３０ｃからなっている。上記底型枠３０ｂは、仮設基礎３７の上にジャッキ３２を介して支持された架台３４上にメタルフォームを配列して形成されている。橋桁１の両側面となる位置に配設される外型枠３０ａは、底型枠３０ｂと回動軸３１を介して回動可能に連結されている。そして、上床版の張り出し部１ｄに該当する部分は、架台３４上に立設された支柱３３によって支持される。また、内型枠３０ｃは、コンクリートを打設する新設ブロック３の後方側では架台３４上に支持され、前方側では既にコンクリートが打設された既設ブロック２の下床版１ｂ上にレール３５を介して支持される。
なお、この時点では既設ブロック２は桁送り出し装置１０の移動支承１３上に支持されており、この既設ブロック２の高さに合わせて連続する新設ブロック３の型枠が形成される。
【００３５】
上記型枠内にコンクリートを打設して硬化すると、橋桁１の軸線方向にプレストレスを導入し、新設ブロック３と既設ブロック２とが一体となるように連結するとともに、コンクリートに大きな引張応力が発生するのを防止する。
また、図４に示すように、コンクリートが打設された新設ブロック３の後方に支持体２４を設置し、この支持体２４の上に上方ローラ２５を取り付ける。一方、新設ブロック３上には、高さ調整材２２を配置し、この高さ調整材２２と支持体２４の上方ローラ２５上に架け渡すように後方突出ガーダー２１を配置する。後方突出ガーダー２１及び高さ調整材２２は、下端部が新設ブロック３のコンクリート内に予め埋め込まれた複数の鋼棒２３によって固着される。これにより、後方突出ガーダー２１は新設ブロック２の上面に固定され、後方突出ガーダー２１の突き出した部分を支持体２４で支持することにより、新設ブロック３の後方部の重量を支持することが可能となる。
【００３６】
新設ブロック３の後部の重量が支持体２４により支持可能な状態となると、新設ブロック３の脱型が行われる。
図２（ｂ）に示すように、外型枠３０ａは上床版１ａの張り出し部を支える支柱３３を下降させ、回動軸３１を中心に回動させることによって外型枠３０ａをコンクリートから後退させる。内型枠３０ｃも、鉛直面の型枠を後退させるとともに全体を下降させて脱型する。外型枠３０ａ及び内型枠３０ｃの脱型は、プレストレスの導入及び支持体２４と後方突出ガーダー２１との設置より前に行うこともできる。
底型枠３０ｂは、支持体２４と後方突出ガーダー２１とを設けた後、仮設基礎３７上のジャッキ３２の操作により架台３４を下降させて脱型する。架台３４が下降することにより、新設ブロック３の重量が後方突出ガーダー２１を介して支持体２４に負荷され、新設ブロック３の後部が支持される。また、新設ブロック３の前部は既設ブロック２と連続し、既設ブロック２は仮支柱６、橋台Ａ及び橋脚Ｐ上の桁送り出し装置１０で支持される。
【００３７】
この状態で、橋台Ａ、橋脚Ｐ及び仮支柱６の上に配置された桁送り出し装置１０の各水平ジャッキ１４を一斉に駆動することにより、各移動支承１３が台座１２上を滑動し、橋桁１を前方に押し出す。これにより、新設ブロック３は桁製作ヤード４上から前方に送り出され、図５（ａ）に示すように、この新設ブロック３に固定された後方突出ガーダー２１は支持体２４に支持されながら上方ローラ２５上を前方に移動する。
【００３８】
桁送り出し装置１０は、先に説明したように、水平ジャッキ１４のストロークが限界位置に達すると、橋桁１の重量が鉛直ジャッキ１１に負荷され、移動支承１３を後方側へ移動した後、再び橋桁１を移動支承１３上に載置して前方への押し出しを繰り返す。このとき鉛直ジャッキ１１の動作に連動して後端用鉛直ジャッキ２７が駆動され、新設ブロック３に過大な断面力が作用するのを防止している。
【００３９】
このようにして、新設ブロック３が所定の位置まで前方に押し出されると、図５（ｂ）に示すように、後方突出ガーダー２１の後端は支持体２４が設けられた位置より前方まで移動し、支持体２４による支持が解除される。この位置は、桁製作ヤード４より前方に設けられた桁送り出し装置１０で橋桁１を支持したときに、新設ブロック３の後方部が片持ち状に張り出しても、過大な断面力が生じないように定められたものである。つまり、後方突出ガーダー２１の張り出し長によって支持体４による支持が解除される位置を調整することができ、張り出し長を長く設定することにより移動中の新設ブロック３に生じる断面力を低減することができる。
上記のように後方突出ガーダー２１の支持体２４による支持が解除されると、後方突出ガーダー２１は新設ブロック３から取り外すことができる。
【００４０】
橋桁１がさらに前方に送り出され、図６に示すように新設ブロック３の後端が桁製作ヤード４の前部の所定位置に到達すると、この新設ブロック３を既設ブロックとしてその後方に次の新設ブロックを形成する。そして、後端部を後方突出ガーダーと支持体とによって支持することができる。このように施工ブロック毎の橋桁の製作と橋桁の送り出しとを繰り返して所定の長さの橋桁を形成し、所定の位置まで押し出して橋桁の架設を完了する。
【００４１】
なお、本実施の形態では、支持体２４として枠体２５の上部に上部ローラ２６を有し、下端部に後端用鉛直ジャッキ２７を設けた構造を採用したが、これに限定されるものではなく、後方突出ガーダー２１の移動が可能に支持できるものであって、桁送り出し装置１０の鉛直ジャッキ１１の動作に対応して後方突出ガーダー２１の支持位置を上下させることができるものであれば、他の構造を採用することができる。例えば、上部ローラ２６に代えて、後方突出ガーダーが滑動する支承を設けてもよい。また、後端用鉛直ジャッキ２７は枠体２５の上部にローラと併設してもよい。この後端用鉛直ジャッキは、桁送り出し装置１０の鉛直ジャッキ１１と連動して後方突出ガーダー２１を押し上げる。そして、下降して橋桁が桁送り出し装置１０の移動支承上に載置されたときには、後方突出ガーダー２１をローラ上に支持させ、前方への移動を可能とする。
【００４２】
また、本実施の形態では、橋桁１の押し出しに図３に示すような桁送り出し装置１０を用いたが、複数の滑り支承上に橋桁を支持し、橋桁を押し出す水平方向の力を集中して作用させるいわゆる水平反力集中方式においても本発明を適用することができる。
水平反力集中方式では、橋桁は常に滑り支承上に支持された状態で押し出されるため、支持体に後端用鉛直ジャッキを設ける必要はない。つまり、新設ブロックのコンクリートが硬化した後、底型枠を下降させて新設ブロックの後部を支持体で支持させると、滑り支承上に支持された既設ブロックとともに新設ブロックを前方に押し出すことができる。
【００４３】
次に、本願発明の第２の実施形態である後方支持装置及びこれを用いた押し出し架設方法を説明する。
この実施の形態は、後方支持装置を除いて、第１の実施形態と同様であるので、橋桁の構成等については同じ符号をつけるとともに説明を省略する。
図７（ａ）は、本願発明の第２の実施形態である後方支持装置を示す概略側面図であり、図７（ｂ）は、図７（ａ）中のＡ−Ａ線における断面図である。
この後方支持装置４０は、桁製作ヤード上で形成された新設ブロック３の上面に固定される後方突出ガーダー４１と、この後方突出ガーダー４１に取り付けられ、新設ブロック３の後方で後方突出ガーダー４１を支持して新設ブロック３ともに前方へ走行移動する支持体４４と、を備えている。支持体４４は、後方突出ガーダー４１を支持する支柱４５と、この支柱４５の上部に設けられ、後方突出ガーダー４１を支持して上下に駆動可能な後端用鉛直ジャッキ４６と、支柱４５の下端に取り付けられ、桁製作ヤード上を走行するための下部ローラ４７と、後端用鉛直ジャッキ４６による支持位置を調整する高さ調整部材４８と、支柱４５が転倒しないように拘束する拘束部材４９と、で主要部が構成されている。
【００４４】
上記後方突出ガーダー４１は鋼からなり、図７（ａ）に示すように、新設ブロック３上の後部に配置され、新設ブロック３の後方に突出している。そして、この後方突出ガーダー４１は、下端部が新設ブロック３のコンクリート内に定着された鋼棒４３により、新設ブロック３に緊結して固定されている。
なお、この後方突出ガーダー４１は、支持体４４に結合されるものであり、第１の実施形態の後方突出ガーダー２１と比較して、後方への突出長が短くなっている。
上記支持体４４は、断面が箱桁となった橋桁１のウェブ１ｃと対向する位置を避けて配置されており、ウェブ１ｃに配置された緊張材（図示せず）の緊張作業を阻害しないように設けるのが望ましい。
【００４５】
上記支持体４４の支柱４５は、鋼管からなるものであり、鉛直に支持されて上部に後端用鉛直ジャッキ４６が取り付けられ、下端に下部ローラ４７が取り付けられている。そして、高さ調整部材４８を介して後方突出ガーダー４１を桁製作ヤード上で支持するものとなっている。
上記後端用鉛直ジャッキ４６は、既設ブロックを支持する桁送り出し装置１０の鉛直ジャッキ１１と連動するものとなっている。したがって、この後端用鉛直ジャッキ４６を上昇させることにより、高さ調整部材４８を介して後方突出ガーダー４１及びこの後方突出ガーダーが固定された新設ブロック３を上昇させることができるものである。
支柱４５の下端に設けられた下部ローラ４８は、取り付けピン５０により支柱４５と接合されており、桁製作ヤード上を安定して走行し、橋桁の軸線方向への移動が可能となっている。
【００４６】
上記拘束部材４９は型鋼からなり、高さ調整部材４８を介して後方突出ガーダー４１に固定されたもので、支柱４５に隣接して下方に突き出している。そして、支柱４５の上部と下部とのそれぞれに連結部材５１を備えている。この連結部材５１は、図７（ｂ）に示すように、拘束部材４９に固着されて張り出した部分が、わずかな隙間をおいて支柱４５を取り囲み、支柱４５の水平方向の位置を拘束するものとなっている。これにより、支柱４５に対して上下方向に相対的な移動が可能に連結され、水平方向には双方間の相対的な移動を拘束するようになっている。つまり、拘束部材４９は後方突出ガーダー４１に固定されていることにより、上記後端用鉛直ジャッキ４６が動作したときに上下方向に変位するが、上下方向に変位しない支柱４５との相対的な変位を許容するものである。そして、上端及び下端にそれぞれ後端用鉛直ジャッキ４６及び下部ローラ４７が取り付けられた支柱４５が転倒しないように保持するものとしている。
【００４７】
次に、第２の実施形態に係る後方支持装置４０を用いて橋桁を押し出す方法について説明する。なお、この方法は、本願発明に係る押し出し架設方法の第２の実施形態である。
桁製作ヤード上で、第１の実施の形態と同様に、既設ブロックの後端に連続して新設ブロック３を形成するための型枠３０を組み立てる。この型枠３０は、図２に示した第１の実施の形態とほぼ同様の構成を備えるものであるが、下部ローラ４７が走行する部分には、例えば型鋼５２を用いて強固な構造とするのが望ましい。
その後、組み立てられた型枠３０にコンクリートを打設し、硬化後にプレストレスを導入する。また、支持体４４が取り付けられた後方突出ガーダー４１を新設ブロックの後端部上に載置し、新設ブロック３のコンクリート内に下端部が定着されている鋼棒４３によって後方突出ガーダー４１を新設ブロックの上面で固定する。これにより、新設ブロック３の後部の重量は支持体４４によって支持可能となる。
【００４８】
新設ブロック３が支持体４４によって支持されると、型枠３０を取り外す。脱型は、第１の実施の形態とほぼ同様であるが、この実施の形態では、架台３４を降下させて底型枠３０ｂと外型枠３０ａとを脱型するときに、架台３４上に設けられている支持体４４が架台３４とともに下降することになる。したがって、架台の下降とともに後端用鉛直ジャッキ４６を上昇させ、新設ブロック３の高さを維持する。
【００４９】
脱型が行われると、橋台Ａ、橋脚Ｐ及び仮支柱６の上に配置された桁送り出し装置１０を作動して第１の実施の形態と同様に橋桁１を前方に押し出すことができる。これにともない、新設ブロック３と連結された支持体４４は、後方突出ガーダー４１を介して新設ブロック３の後部を支持した状態で桁製作ヤード上を前方へ走行する。また、支持体４４に設けられた後端用鉛直ジャッキ４６は、桁送り出し装置１０の鉛直ジャッキ１１と連動し、新設ブロック３と既設ブロック２との変位差が大きくならないように調整する。
【００５０】
このようにして橋桁１が前方に押し出され、新設ブロック３の後端が桁製作ヤードの前部の所定の位置に到達すると支持体４４及び後方突出ガーダー４１は取り外され、新設ブロックを既設ブロックとして次の新設ブロックを形成する工程が行われる。そして、順次施工ブロックを形成する工程及び橋桁１を押し出す工程を繰り返し、所定長の橋桁を形成して所定の位置に架設することができる。
【００５１】
なお、本実施の形態では、桁送り出し装置１０を用いて橋桁１を押し出すものであるが、上記のように支持体４４が新設ブロック３とともに走行するものであっても、滑り支承上に橋桁１を支持して押し出すこともできる。また、支持体の構造は、新設ブロック３の後部の重量を支持して走行できる他の構造を採用することもできる。
【符号の説明】
【００５２】
１：橋桁、    １ａ：上床版、    １ｂ：下床版、    １ｃ：ウェブ、    １ｄ：上床版の張り出し部、    ２：橋桁の既設ブロック、    ３：橋桁の新設ブロック、    ４：桁製作ヤード、  ５：後方ヤード、    ６：仮支柱、    ７：手延べ桁、    
１０：桁送り出し装置、    １１：鉛直ジャッキ、    １２：台座、    １３：移動支承、    １４：水平ジャッキ、    
２０：後方支持装置、    ２１：後方突出ガーダー、    ２２：高さ調整材、    ２３：鋼棒、    ２４：支持体、    ２５：枠体、    ２６：上部ローラ、    ２７：後端用鉛直ジャッキ、    
３０：型枠、    ３０ａ：外型枠、    ３０ｂ：底型枠、    ３０ｃ：内型枠、    ３１：回動軸、    ３２：ジャッキ、    ３３：支柱、    ３４：架台、    ３５：レール、    ３７：仮設基礎、  
４０：後方支持装置、    ４１：後方突出ガーダー、    ４３：鋼棒、    ４４：支持体、    ４５：支柱、    ４６：後端用鉛直ジャッキ、    ４７：下部ローラ、    ４８：高さ調整部材、    ４９：拘束部材、    ５０：取り付けピン、    ５１：連結部材、    
１０１：新設ブロック、    １０２：既設ブロック、    １０３：底部の型枠、    １０４：桁押し出し装置、    １０５：桁製作ヤード    
【図１】
2011052375.tif 000003
【図２】
2011052375.tif 000004
【図３】
2011052375.tif 000005
【図４】
2011052375.tif 000006
【図５】
2011052375.tif 000007
【図６】
2011052375.tif 000008
【図７】
2011052375.tif 000009
【図８】
2011052375.tif 000010